(57)【要約】      （修正有）【課題】突部が設けられていない被固定物に対しても固定可能なパネル装置を提供する。【解決手段】パネル装置は、板状部材１と、板状部材１に所定間隔をおいて取り付けられる第１固定具２ａ、２ｂと、各第１固定具２ａ、２ｂそれぞれに着脱自在に取り付けられる第２固定具と、を備え、第１固定具２ａ、２ｂは、前記板状部材１の面方向に延びるように取り付けられる第１基部２１ａ、２１ｂと、当該基部の端部から直角に延びる板状の第１支持部とで形成され、第２固定具は、前記第１基部２１ａ、２１ｂの任意の位置に着脱自在に取り付けられる板状の第２基部と、当該第２基部の端部から直角に延びる第２支持部とで形成されており、第２固定具は、前記第１支持部と第２支持部とが同一平面上に互いに反対方向に延びる第１の位置と、前記第１支持部と第２支持部とが同じ方向に延びて両者の間に大きさを調整可能な隙間を形成する第２の位置とを選択的に取り得る。【選択図】図１
2010201082.tif 000002
【特許請求の範囲】
【請求項１】
板状部材と、
前記板状部材に所定間隔をおいて取り付けられる少なくとも１つの第１固定具と、
前記各第１固定具それぞれに着脱自在に取り付けられる少なくとも１つの第２固定具と、を備え、
前記第１固定具は、前記板状部材の面方向に延びるように取り付けられる第１基部と、当該基部の端部から直角に延びる板状の第１支持部とで形成され、
前記第２固定具は、前記板状部材または第１固定具の任意の位置に取り付けられ前記第１基部と平行に延びる板状の第２基部と、当該第２基部の端部から直角に延びる第２支持部とで形成されており、
前記第２固定具は、前記第１支持部と第２支持部とが同一平面上に互いに反対方向に延びる第１の位置と、前記第１支持部と第２支持部とが同じ方向に延びて両者の間に大きさを調整可能な隙間を形成する第２の位置とを選択的に取り得る、パネル装置。
【請求項２】
前記第２固定具が，前記第２の位置にあるときに、前記第１支持部または第２支持部に取り付けられる締結部材をさらに備え、
前記第１支持部と第２支持部との間に配置される被固定具に対し、前記締結部材を締め付け可能に構成されている、請求項１に記載のパネル装置。
【発明の詳細な説明】
【技術分野】
【０００１】
本発明は、机などに取り付けられるパネル装置に関する。
【背景技術】
【０００２】
従来より、オフィスにおける机の上には、パーティション用のパネル、棚など種々のオフィス用品が配置されている。例えば、特許文献１には、小物の収納具を取り付けるためのパネル装置が開示されている。このパネル装置は、パーティションパネルのように机の上に垂直に取り付けられるものであり、収納具を取り付けるための多数の貫通孔や突起が形成されている。また、このパネル装置の下端部には、コ字状のクランプが取り付けられており、このクランプで机の端部を挟んだ後、締結部材で締め付けることにより、パネル装置を机に固定している。
【先行技術文献】
【特許文献】
【０００３】
【特許文献１】特開２００２−２６２９４４号公報
【発明の概要】
【発明が解決しようとする課題】
【０００４】
ところで、上記パネル装置は、クランプによって机の端部に取り付けられているが、例えば、机の端部にクランプが取り付けられるような突部がない場合には、パネル装置を机に固定することはできない。そのため、机のような被固定物の形状に関わらず、配置することができるパネル装置が要望されていた。
【０００５】
本発明は、上記問題を解決するためになされたものであり、被固定物の形状にかかわらず、配置可能なパネル装置を提供することを目的とする。
【課題を解決するための手段】
【０００６】
本発明に係るパネル装置は、板状部材と、前記板状部材に所定間隔をおいて取り付けられる少なくとも１つの第１固定具と、前記各第１固定具それぞれに着脱自在に取り付けられる少なくとも１つの第２固定具と、を備え、前記第１固定具は、前記板状部材の面方向に延びるように取り付けられる第１基部と、当該基部の端部から直角に延びる板状の第１支持部とで形成され、前記第２固定具は、前記板状部材または第１固定具の任意の位置に取り付けられ前記第１基部と平行に延びる板状の第２基部と、当該第２基部の端部から直角に延びる第２支持部とで形成されており、前記第２固定具は、前記第１支持部と第２支持部とが同一平面上に互いに反対方向に延びる第１の位置と、前記第１支持部と第２支持部とが同じ方向に延びて両者の間に大きさを調整可能な隙間を形成する第２の位置とを選択的に取り得る。
【０００７】
この構成によれば、第２固定具の第２基部を第１固定具または板状部材の任意の位置に着脱自在に固定することができるため、第２固定具を、第１支持部と第２支持部とが同一平面上に互いに反対方向に延びる第１の位置と、第１支持部と第２支持部とが同じ方向に延びて両者の間に大きさを調整可能な隙間を形成する第２の位置とを選択的に取り得ることができる。例えば、第２固定具が第１の位置にあるときには、同一平面上に延びる第１及び第２支持部の間から第１基部を介して板状部材が延びているため、板状部材は両支持部を底面として支持されることになる。したがって、この形態では、被固定物に突部がなくても、支持部を配置できる場所であれば、板状部材をいずれの位置にも配置することができる。
【０００８】
一方、第２固定具が第２の位置にあるときには、第１支持部と第２支持部との間に机の端部などの被固定物を挟持するように、第２固定具を第１固定具に固定すれば、パネル装置を被固定物に固定することができる。したがって、本発明によれば、取り付け対象となる被固定物の形態に応じて、第２固定具を、第１または第２の位置に配置すれば、いずれの位置にもパネル装置を配置することができる。なお、第２固定具は、第１固定具に直接取り付けることもできるし、板状部材を挟んで取り付けることもできる。また、板状部材にのみ取り付けることもできる。また、各固定具における「直角」は、必ずしも厳密な９０度ではなくてもよく、上記第１及び第２の位置においてパネル装置を配置するのに支障がない範囲で９０度からずれていてもよい。
【０００９】
上記パネル装置においては、第２固定具が，第２の位置にあるときに、第１支持部または第２支持部に取り付けられる締結部材をさらに設けることができる。そして、この締結部材を、第１支持部と第２支持部との間に配置される被固定具に対して締め付け可能に構成することができる。
【００１０】
この構成によれば、第１または第２支持部に締結部材が取り付けられ、第１支持部と第２支持部との間に配置される被固定具に対し、締結部材を締め付けることができる。これにより、第２固定具の位置を調整して、第１及び第２支持部間の距離を被固定具に合わせなくても、締結部材を締め付けることで、パネル装置を被固定具に対して容易に固定することができる。
【発明の効果】
【００１１】
本発明に係るパネル装置によれば、被固定物の形状にかかわらず、配置することができる。
【図面の簡単な説明】
【００１２】
【図１】本発明の一実施形態における第１の態様のパネル装置の正面図である。
【図２】図２は図１の平面図である。
【図３】第１固定具の正面図及び側面図である。
【図４】図１のパネル装置の他の取り付け例を示す正面図である。
【図５】第２の態様におけるパネル装置の正面図である。
【図６】図５の背面図である。
【図７】図５の側面図である。
【図８】図５の平面図である。
【発明を実施するための形態】
【００１３】
本発明に係るパネル装置をパーティションとして用いる場合の一実施形態について図面を参照しつつ説明する。図１はこのパネル装置の正面図、図２は図１の平面図、図３は第１固定具の正面図及び側面図である。
【００１４】
このパネル装置は、オフィスの机に取り付けられるパーティションとして利用される。図１及び図２に示すように、このパネル装置は、仕切り板となる板状部材１を有しており、この板状部材１が一対の第１固定具２ａ，２ｂ及び第２固定具３ａ，３ｂにより机Ｄの上で起立するように支持されている。これを第１の態様と称する。以下では、説明の便宜のため、一方の固定具２ａ，３ａについてのみ説明することがある。板状部材１は、矩形状に形成され、その表面に多数の貫通孔１１が格子状に形成されている。この貫通孔１１には、棚、フックなどを取り付けることができる。また、板状部材１の両端部には、上下方向に沿って複数の４個の貫通孔が形成されている。この貫通孔、及び次に説明する固定具２，３の貫通孔にボルト４が挿通され、板状部材１と固定具２，３とが固定される。
【００１５】
図３に示すように、一対の第１固定具２ａ，２ｂは、板状部材１の側端部に沿って垂直方向に延びる板状の第１基部２１ａと、この第１基部２１ａの下端部から水平方向に直角に延びる板状の第１支持部２２ａとからなるＬ字型に形成されている。第１基部２１ａには、垂直方向に所定間隔をおいて４個の貫通孔２１１ａが形成されており、この貫通孔２１１ａにはボルト４を挿入可能となっている。
【００１６】
第２固定具３ａは、第１固定具２ａと同じ形状をしている。すなわち、垂直方向に延びる板状の第２基部３１ａと、この第２基部３１ａの下端部から水平方向に直角に延びる第２支持部３２ａとからなるＬ字型に形成されている。また、第１固定具２ａと同様に、第２基部３１ａには、第１基部２１ａと同じ位置に４個の貫通孔３１１ａが形成されている。
【００１７】
図１及び図２に示す第１態様では、板状部材１の両側部を第１固定具２ａ及び第２固定具３ａで挟み、これらをボルト４によって固定している。より詳細には、第１及び第２支持部２２ａ，３２ａが互いに反対方向に延びるように、第１固定具２ａの第１基部２１ａに、板状部材１を介して、第２固定具３ａの第２基部３１ａを重ね合わせる。このとき、第１基部２１ａと第２基部３１ａの貫通孔２１１ａ，３１１ａはそれぞれ一致する。また、両支持部２２ａ，３２ａは反対側に延び、且つ同一平面上に延びている。そして、第１基部２１ａに第２基部３１ａを固定するため、両基部２１ａ，３１ａに形成された貫通孔２１１ａ，３１１ａと板状部材１の貫通孔を対応させ、これらにボルト４を挿入して固定する。このように、同一平面上に延びる第１及び第２支持部２２ａ，３２ａの間から板状部材１が垂直に延びているため、板状部材１は両支持部２２ａ，３２ａを底面として支持されることになる。したがって、この態様において、パネル装置は机Ｄの上に自立することができる。
【００１８】
また、板状部材１と各固定具２，３とを連結するための貫通孔の位置をずらせると、板状部材１の高さを調整することができる。例えば、図４に示すように、板状部材１の両側の下から３個の貫通孔と、各固定具２，３の上から３個の貫通孔を対応させ、これらにボルト４を挿通して固定すると、板状部材１の高さを図１よりも高くすることができる。このように、板状部材１の貫通孔と、各固定具２，３の貫通孔の位置を必要な高さに応じて対応させてボルト４で固定すると、板状部材１の高さを調整することができる。
【００１９】
これに加え、このパネル装置は、机の端部などの突部Ｐに固定することができる。この態様を第２の態様と称することとする。以下、第２の態様について、図５〜図８を参照しつつ説明する。図５はこのパネル装置の正面図、図６は図５の背面図、図７は図５の側面図、図８は図５の平面図である。
【００２０】
この態様のため、図５〜図８に示すように、第２固定具３ａの第２支持部３２ａには貫通孔３２１ａが形成されており、この貫通孔３２１ａに締結部材５が取り付けられる。締結部材５は、棒状の本体部５１と、この本体部５１に先端に取り付けられた円形状の押圧部５２とで構成されている。本体部５１の表面にはねじが形成されており、この本体部５１を第２支持部３２ａの貫通孔３２１ａにねじ込むことができるようになっている。
【００２１】
このパネル装置を、机の突部Ｐに取り付ける際には、まず、第１の態様から、第２固定具３ａを取り外し、第２支持部３２ａの貫通孔３２１ａに締結部材５をねじ込んでおく。このとき、締結部材５の押圧部５２が第２基部３１ａ側を向くようにする。これに続いて、第２支持部３２ａが第１支持部２２ａと同じ方向を向くように向きを変え、第１基部２１ａに対して第２基部３１ａを固定する。このとき、第２基部３１ａを下方にずらし、第１支持部２２ａと第２支持部３２ａとの間に机の突部Ｐが挿入可能な空間が形成されるようにする。そして、第２基部３２ａをずらせた状態で、両基部２１ａ，３１ａの貫通孔２１１ａ，３１１ａ同士を位置合わせして板状部材を挟み、ボルト４で固定する。
【００２２】
続いて、第１支持部２２ａと第２支持部３２ａとの間に机の突部Ｐを挿入する。このとき、締結部材５は突部Ｐの下側に配置されるので、この状態から締結部材５を上方にねじ込み、押圧部５２により突部Ｐの下面を締め付ける。これにより、机の突部Ｐは第１固定具２ａの第１支持部２２ａと、締結部材５とにより強固に挟持されるため、パネル装置を机に固定することができる。なお、第２の態様においても、板状部材１の貫通孔と固定具２，３の貫通孔の位置をずらせば、板状部材１の高さを調整することができる。
【００２３】
以上のように、本実施形態によれば、板状部材１に固定されるＬ字型の第１固定具２ａに対して、Ｌ字型の第２固定具３ａを着脱自在に取り付けることができるようにしているため、上述したように、パネル装置の取付態様に関し、第１の態様または第２の態様のいずれかを選択的に取り得ることができる。すなわち、第１の態様では、両固定具２ａ，３ａの支持部２２ａ，３２ａが互いに反対方向に同一平面上に延びるように第２固定具３ａを取り付けるため、パネル装置を自立した状態で配置することができる。したがって、机Ｄの端部に固定可能な突部がない場合に、有効である。一方、第２の態様のように、両支持部２２ａ，３２ａが同じ方向を向き、且つ所定の隙間を形成するようにずらして第２固定具３ａを取り付けた場合には、両支持部２２ａ，３２ａの間に机の突部Ｐを挟持するため、パネル装置を強固に固定することができる。このように、本実施形態に係るパネル装置は、取り付け対象となる被固定物の形態に応じて、いずれの位置にも配置することができる。
【００２４】
また、一つのパネル装置で２つの態様の取付が可能であるため、オフィス内で種々の形態の机があり、各机に２つの態様のいずれかで上記パネル装置を取り付けて第１の態様のパネル装置と第２の態様のパネル装置が混在したとしても、オフィス内のデザインの統一を図ることができる。したがって、オフィスの美観が向上する。
【００２５】
以上、本発明の位置実施形態について説明したが、本発明はこの実施形態に限定されるものではなく、その趣旨を逸脱しない限りにおいて種々の変更が可能である。例えば、上記実施形態では、締結部材５を第２固定具３ａの第２支持部３２ａに取り付けているが、第１固定具２ａの第１支持部２２ａに取り付けることもできる。この場合には、第２固定具３のように、第１固定具２の第１支持部２２に締結部材５を挿通する貫通孔を形成し、締結部材５と第２支持部３２ａとで被固定物を挟持することになる。また、このように、第１固定具２の第１支持部２２に貫通孔を形成しておくと、第１固定具２と第２固定具３とを同じ部材で共用でき、コストを低減することができる。
【００２６】
また、締結部材５を用いず、第１支持部２２ａ及び第２支持部３２ａによって机の突部Ｐを挟持することもできる。すなわち、上記実施形態では、板状部材１、第１基部２１ａ及び第２基部３１ａには、４つの貫通孔が形成されており、第２固定具をずらして配置する場合、４段階の調整しかできないが、さらに貫通孔を多くしたり、スライド可能にするなどして多段階で第２固定具３ａの位置決めをできるようにすることで、第１支持部２２ａと第２支持部３２ａとの間の長さを机の突部Ｐに合わせて調整することができる。こうすることで、第１支持部２２ａと第２支持部３２ａとで、机の突部Ｐを挟持することができ、パネル装置を固定することができる。
【００２７】
板状部材１は、上記のように多数の貫通孔を形成しているため、板状部材１の軽量化を図ることができる。但し、これ以外にも種々の態様のものを使用することができる。例えば、単なるパーティションボードとして貫通孔が形成されていないもののほか、あらかじめ棚などの収納機能が設けられているものなど、種々の態様がある。また、固定具２，３の数は、上記のように２個でなくても、板状部材１を自立させたり、被固定物に固定できる限りは、１個以上の任意の数であればよい。また、第２固定具３は、板状部材１を挟んで第１固定具２に取り付けることもできるし、第１固定具２に直接取り付けてもよい。また、板状部材１にのみ固定されていてもよい。
【産業上の利用可能性】
【００２８】
本発明は、机などに取り付けられるパネル装置として用いることができる。
【符号の説明】
【００２９】
１  板状部材
２ａ，２ｂ  第１固定具
２１ａ，２１ｂ  第１基部
２２ａ，２２ｂ  第１支持部
３ａ，３ｂ  第２固定具
３１ａ，３１ｂ  第２基部
３２ａ，３２ｂ  第２支持部
５  締結部材
【図１】
2010201082.tif 000003
【図２】
2010201082.tif 000004
【図３】
2010201082.tif 000005
【図４】
2010201082.tif 000006
【図５】
2010201082.tif 000007
【図６】
2010201082.tif 000008
【図７】
2010201082.tif 000009
【図８】
2010201082.tif 000010